(57)【要約】【課題】  断熱材を介して桟木類を柱材等に固定するビスに十分な強度を与えることができるビス補強部材を提供することを目的としている。【解決手段】  断熱材３５を介して桟木３６類を柱材３３等に固定するビス４０に使用され、前記断熱材３５の厚さとほぼ同じ長さを有し、ビス４０が貫通可能な柱状体４５を有する。ビス４０に加わる曲げ応力は柱状体４５で受けるので、十分な強度で桟木類を固定することができる。【選択図】      図１
2006125125.tif 000002
【特許請求の範囲】
【請求項１】
断熱材を介して桟木類を柱材等に固定するビスに使用され、前記断熱材の厚さとほぼ同じ長さを有し、ビスが貫通可能な柱状体を有することを特徴とするビス補強部材。
【請求項２】
前記柱状体が中空であることを特徴とする請求項１に記載のビス補強部材。
【請求項３】
前記柱状体が、一端が開口し他端が有底となった中空の本体と、該本体の開口を覆う蓋体とを有することを特徴とする請求項２に記載のビス補強部材。
【請求項４】
前記蓋体が前記本体とねじで螺合することを特徴とする請求項３記載のビス補強部材。
【発明の詳細な説明】
【技術分野】
【０００１】
本発明は断熱材を介して桟木（胴縁）類を柱材等に固定するビスに関し、特に、このビスを補強するビス補強部材に関する。
【背景技術】
【０００２】
断熱材を構造体の内側、つまり室内側に設置した工法は、今まで多くの建築で採用されてきたが、この工法は、外気温の上下が、構造体の躯体に大きな温度変化を与える。そのため、外気の温度の昇降に伴って室内の気温も影響を受け易い。
【０００３】
これに対し、断熱材を構造体の外側、つまり室外側に設置し、建物全体を断熱材で包み込みむ外断熱構造が開発されてきた。これは建物全体を蓄熱体として活用することができるものである。外断熱構造にすることで、外気温の変化による躯体への影響が少なく、建物の長寿命化、冷暖房負担を小さくするなどのほか、結露の抑制など様々な長所を備えている。
【０００４】
図６は、従来の外断熱構造の構成例を示す断面図である。同図において、建物の外側１０と室内側２０との間に外壁３０がある。外壁３０は、室内側２０から順に、クロス３１、合板などからなる壁板３２、柱材３３、構造用合板３４、断熱材３５、桟木（胴縁）３６、外装板３７とから構成されている。
【０００５】
以上の構成において、桟木３６は、柱材３３より細い角材である。ビス４０は、この桟木３６の外側からねじ込まれ、桟木３６と断熱材３５と構造用合板３４とを貫通し、柱材３３にねじ込まれて締め付け固定される。外装板３７は、図示しないビスあるいは金具で桟木３６に取付固定される。
【０００６】
断熱材３５としては、厚さが数ｃｍの硬質発泡ポリウレタンや、ガラスファイバーなどが使用されるが、これらはいずれも構造材としては強度の低いものである。そのため、ビス４０は、断熱材３５の部分では強度的には０に近くなっている。一方、桟木３６は外装板３７を支持しているので、外装板３７に加わる力はビス４０に加わることになり、ビス４０が反ったり、曲がったりし易くなっている。
【０００７】
これに対し、従来は、主としてビス４０の強度を上げることで対応してきたが、このような使用条件下では、十分な強度のあるビスは製造が困難である。
【発明の開示】
【発明が解決しようとする課題】
【０００８】
本発明は、このような実情から考えられたもので、断熱材を介して桟木類を柱材等に固定するビスに十分な強度を与えることができるビス補強部材を提供することを目的としている。
【課題を解決するための手段】
【０００９】
上記の目的を達成するために本発明のビス補強部材は、断熱材を介して桟木類を柱材等に固定するビスに使用され、前記断熱材の厚さとほぼ同じ長さを有し、ビスが貫通可能な柱状体を有することを特徴としている。
【００１０】
前記柱状体が中空である構成としたり、前記柱状体が、一端が開口し他端が有底となった中空の本体と、該本体の開口を覆う蓋体とを有する構成としたり、前記蓋体が前記本体とねじで螺合する構成とすることができる。
【００１１】
上記のビス補強部材は、以下のように使用される。
【００１２】
柱材に構造用合板を張り付けたら、その上から断熱材を張り、断熱材の柱材と対応する位置に柱状体が入る孔を開ける。この孔に柱状体を入れ、上から桟木を重ね、桟木の外側からビスをねじ込む。ビスは桟木を貫通し、さらに柱状体を貫通して柱材等にねじ込まれ、桟木類を柱材等に固定する。
【発明の効果】
【００１３】
本発明によれば、ビスの断熱材を通過する部分に加わる曲げ応力は、柱状体で受けることができ、また、柱状体の強度は十分なものにすることができるので、桟木や外装板を十分な強度で支持することができる、という優れた効果を奏する。
【００１４】
柱状体が中空構造であると、強度を殆ど低下させることなく断熱効果を上げることができる。
【００１５】
柱状体を有底中空円筒の本体と、蓋体とにすることで、本体を小ビスで固定することができる。本体と蓋体とをねじで螺合する構造にすることで、本体と蓋体の結合を簡単にし、しかも、結合力を強力にすることができる。
【発明を実施するための最良の形態】
【００１６】
以下、本発明の実施の形態を添付図面を参照して説明する。
【００１７】
図１は、本発明のビス補強部材を使用した外断熱構造を示す断面図で、図６のＩ−Ｉ線に沿って切断した断面図に相当する図である。図６の従来例と同じものには、同一の符号を付し、相違する構成を中心に説明する。
【００１８】
断熱材３５には、孔が穿設されてここにビス補強部材としての柱状体４５が嵌合されている。そして、この柱状体４５を４〜６本の複数の小ビス４７で柱材３３に固定している。桟木３６を固定するビス４０は、桟木３６、柱状体４５、構造用合板３４を貫通して柱材３３にねじ込まれて固定してる。
【００１９】
図２は、柱状体４５の分解断面図である。柱状体４５は、中空円筒形状の有底の本体４５ａと、この本体４５ａの開口を塞ぐ蓋体４５ｂとから構成されている。本体４５ａ及び蓋体４５ｂは、共にプラスチック製で、嵌合或いは接着剤などによって結合される。ビス補強部材としての柱状体４５を中空構造とすることで、強度を殆ど下げることなく断熱性を上げることが可能となる。また、材料の削減ができ、ビス補強部材の製造コストを下げることができる。
【００２０】
次に使用方法を説明する。
【００２１】
柱材３３に構造用合板３４を打ち付け、その上に断熱材３５を張り付ける。ビス補強部材としての柱状体４５を使用する場合、予め、断熱材３５の柱材３３と対向する位置に、柱状体４５と同じ径の孔を穿設しておく。この孔に柱状体４５の本体４５ａのみを入れ、４本から８本の複数の小ビス４７で柱材３３に固定する。本体４５ａが固定されたら、蓋体４５ｂを取り付け、固定する。蓋体４５ｂの外側面が断熱材３５の外側面と同じになるように、柱状体４５の厚さを設定している。断熱材３５の外側に桟木３６をあてがい、ビス４０で桟木３６を柱材３３に固定する。ビス４０は、桟木３６と柱状体４５と構造用合板３４とを貫通して柱材３３にねじ込まれ、固定される。
【００２２】
ビス４０は、断熱材３５に代えて柱状体４５を貫通しているので、ビス４０に加わる曲げ応力は、すべて、柱状体４５で受けることになる。柱状体４５は断熱材３５より大きな強度を有するので、柱状体４５の外径や肉厚を適当に設定しておくことで、ビス４０の強度を上げることなく、桟木３６や外装板３７の支持に必要な強度を得ることができる。また、ビス４０は柱材３３に螺合することで固定されているが、仮に、構造用合板３４の厚さが十分にあれば、柱材３３に螺合しなくてもよいことになる。
【００２３】
ビス４０は、柱状体４５の中心を貫通することが望ましいが、それに限定されるものではない。ビス４０に加わる曲げ応力を柱状体４５で受けられる限度内にある限りで、柱状体４５の中心から外れた位置にビス４０が貫通していてもよい。
【００２４】
図３は本発明のビス補強部材の第２実施例を使用した外断熱構造を示す断面図である。このビス補強部材としての柱状体５５は、図４に示す構造となっている。
【００２５】
すなわち、本体５５ａは、プラスチック製の中実の円柱形状で、多数の小孔が貫通形成されている。蓋体５５ｂは、断熱性のあるゴムなどを使用したものである。ビス４０は、ゴム製の蓋体５５ｂを貫通し、本体５５ａのいずれかの小孔を通過して構造用合板３４を貫通し、柱材３３にねじ込まれて固定される。本体５５ａと構造用合板３４とは接着剤などで固定するが、固定しなくてもよい。ビス４０の頭部には、断熱効果を上げるためにゴムキャップ４１をしている。
【００２６】
図５（ａ）から（ｅ）は、ビス補強部材としての柱状体について、その他の実施例を示す図である。
【００２７】
図５（ａ）のビス補強部材としての柱状体６０は、本体６０ａの開口端が、蓋体６０ｂに形成された環状の溝６０ｃに嵌合することで固定される構造である。小孔６０ｄは、本体６０ａを固定する小ビス４７用の孔である。
【００２８】
図５（ｂ）のビス補強部材としての柱状体６１は、本体６１ａの開口端が、蓋体６１ｂに形成された環状のリブ６１ｃの外側に嵌合することで固定される構造である。小孔６１ｄは、本体６１ａを固定する小ビス４７用の孔である。図５（ａ）、（ｂ）の実施例は本体と蓋体とを接着剤で固定してもよい。
【００２９】
図５（ｃ）のビス補強部材としての柱状体６２は、本体６２ａの外側と、蓋体６２ｂの内側とがねじ６２ｄで螺合する構造である。
【００３０】
図５（ｄ）のビス補強部材としての柱状体６３は、本体６３ａの内側と、蓋体６３ｂの外側とがねじ６３ｄで螺合する構造である。
【００３１】
図５（ｅ）のビス補強部材としての柱状体６４は、本体６４ａの開口端が、蓋体６４ｂに形成された環状の溝６４ｃに嵌合する構造で図５（ａ）と同じであるが、本体６４ａの開口端の先端側に突起６４ｄを設けている。この突起６４ｄを溝６４ｃに形成された凹部に嵌入させることで、固定する。この場合、接着する必要がない。
【００３２】
以上の実施例において、柱状体は円柱形状であるが、多角柱形状など種々の形状でよい。また、ビス補強部材としての柱状体は、構造用合板３４と断熱材３５とを介して桟木３６を柱材３３に固定しているが、この構成に限定されるものではない。本発明の柱状体は、一般に、桟木や板材など（「桟木類」という）を断熱材を介して柱材や構造用合板を含む種々の部材（「柱材等」という）に固定する場合に、使用可能なものである。
【図面の簡単な説明】
【００３３】
【図１】本発明のビス補強部材を使用した外断熱構造を示す断面図である。
【図２】柱状体の分解断面図である。
【図３】本発明のビス補強部材の第２実施例を使用した外断熱構造を示す断面図である。
【図４】図３の柱状体の分解断面図である。
【図５】ビス補強部材としての柱状体について、その他の実施例を示す図である。
【図６】従来の外断熱構造の構成例を示す断面図である。
【符号の説明】
【００３４】
３０      外壁
３３      柱材
３５      断熱材
３６      桟木
４０      ビス
４５，５５，６０，６１，６２，６３，６４      柱状体
４５ａ，５５ａ，６０ａ，６１ａ，６２ａ，６３ａ，６４ａ    本体
４５ｂ，５５ｂ，６０ｂ，６１ｂ，６２ｂ，６３ｂ，６４ｂ    蓋体
【図１】
2006125125.tif 000003
【図２】
2006125125.tif 000004
【図３】
2006125125.tif 000005
【図４】
2006125125.tif 000006
【図５】
2006125125.tif 000007
【図６】
2006125125.tif 000008